(57)【要約】【課題】簡単に通信の設定を行うことができるカメラを提供する。【解決手段】レンズ鏡筒１５の先端部に赤外線発光部４４Ａと赤外線受光部４４Ｂとが設けられている。カメラ１０を設置した位置で通信が確立できない場合は、レンズ鏡筒１５を移動させることにより、赤外線発光部４４Ａと赤外線受光部４４Ｂの位置を自動で調整し、通信を確立させる。【選択図】      図５
2007028424.tif 000002
【特許請求の範囲】
【請求項１】
カメラ本体に外部機器と無線通信するための無線通信手段を備えたカメラにおいて、
前記無線通信手段の発信部と受信部の少なくとも一方を前記カメラ本体の可動部に設け、該可動部を移動させることにより、前記発信部と受信部の少なくとも一方を移動可能にしたことを特徴とするカメラ。
【請求項２】
前記可動部を駆動する駆動手段と、
前記発信部と受信部の少なくとも一方が前記外部機器と通信可能な位置に移動するように前記駆動手段を制御する制御手段と、
を備えたことを特徴とする請求項１に記載のカメラ。
【請求項３】
前記可動部が、前記カメラ本体に前後移動自在に設けられたレンズ鏡筒であることを特徴とする請求項１又は２に記載のカメラ。
【請求項４】
前記発信部と受信部の少なくとも一方が、前記レンズ鏡筒の先端に設けられたことを特徴とする請求項３に記載のカメラ。
【請求項５】
前記無線通信手段が、赤外線によって前記外部機器と無線通信することを特徴とする請求項１、２、３又は４に記載のカメラ。
【請求項６】
固体撮像素子によって画像を撮像するとともに、該固体撮像素子を赤外線の受信部に利用して、前記外部機器と無線通信することを特徴とする請求項５に記載のカメラ。
【発明の詳細な説明】
【技術分野】
【０００１】
本発明はカメラに係り、特に外部機器と無線で通信する無線通信機能を備えたカメラに関する。
【背景技術】
【０００２】
デジタルカメラで撮影した画像をプリントする方法として、デジタルカメラとプリンタを直接ケーブルで接続し、プリントする方法が知られている（いわゆる、ピクトブリッジ規格）。この方法によれば、パソコンを用いずにデジタルカメラで撮影した画像をプリントすることができる。
【０００３】
しかし、デジタルカメラとプリンタをケーブルで接続しなければならないため、プリントするまでの準備作業に手間がかかるという欠点がある。また、接続にケーブルを必要とするため、外出先等でプリントする場合には、常にケーブルを携帯しなければならないため、取り扱いが不便であるという欠点も合った。
【０００４】
そこで、特許文献１では、赤外線通信を利用して、デジタルカメラで撮影した画像を無線でプリンタに転送し、プリントする方法を提案している。
【特許文献１】特開平１０−１７３８３３号公報
【発明の開示】
【発明が解決しようとする課題】
【０００５】
ところで、赤外線通信の場合、赤外線が指向性を有することから、エラーなく通信するためには、互いの発光部と受光部を対向させて通信する必要がある。しかし、操作に慣れていないと、プリンタに対してどの位置にカメラを置けば通信できるのかが分かりにくく、使い勝手が悪いという欠点があった。
【０００６】
本発明はこのような事情に鑑みてなされたもので、簡単に通信の設定を行うことができるカメラを提供することを目的とする。
【課題を解決するための手段】
【０００７】
請求項１に係る発明は、前記目的を達成するために、カメラ本体に外部機器と無線通信するための無線通信手段を備えたカメラにおいて、前記無線通信手段の発信部と受信部の少なくとも一方を前記カメラ本体の可動部に設け、該可動部を移動させることにより、前記発信部と受信部の少なくとも一方を移動可能にしたことを特徴とするカメラを提供する。
【０００８】
請求項１に係る発明によれば、カメラ本体の可動部に発信部又は受信部の少なくとも一方が設けられており、この可動部を動作させることにより、カメラ本体を移動させずに発信部の位置を移動させることができる。これにより、カメラ本体を移動させずに発信部又は受信部の少なくとも一方を通信に最適な位置に移動させることができる。
【０００９】
請求項２に係る発明は、前記目的を達成するために、前記可動部を駆動する駆動手段と、前記発信部と受信部の少なくとも一方が前記外部機器と通信可能な位置に移動するように前記駆動手段を制御する制御手段と、を備えたことを特徴とする請求項１に記載のカメラを提供する。
【００１０】
請求項２に係る発明は、発信部と受信部の少なくとも一方が外部機器と通信可能な位置に自動的に移動する。これにより、簡単に通信の設定を行うことができる。
【００１１】
請求項３に係る発明は、前記目的を達成するために、前記可動部が、前記カメラ本体に前後移動自在に設けられたレンズ鏡筒であることを特徴とする請求項１又は２に記載のカメラを提供する。
【００１２】
請求項３に係る発明によれば、カメラ本体に対して前後移動自在に設けられたレンズ鏡筒に発信部が設けられる。レンズ鏡筒は、比較的可動範囲が大きいので、発信部を簡単に通信可能な位置に移動させることができる。
【００１３】
請求項４に係る発明は、前記目的を達成するために、前記発信部と受信部の少なくとも一方が、前記レンズ鏡筒の先端に設けられたことを特徴とする請求項３に記載のカメラを提供する。
【００１４】
請求項４に係る発明によれば、発信部と受信部の少なくとも一方が、レンズ鏡筒の先端に設けられる。これにより、発信部と受信部の少なくとも一方を効率よく通信に最適な位置に移動させることができる。
【００１５】
請求項５に係る発明は、前記目的を達成するために、前記無線通信手段が、赤外線によって前記外部機器と無線通信することを特徴とする請求項１、２、３又は４に記載のカメラを提供する。
【００１６】
請求項５に係る発明によれば、いわゆる赤外線通信によって外部機器と通信が行われる。赤外線は、指向性を有することから、カメラ本体の設置位置が通信に最適な位置に設置されていないと、通信エラーが生じるが、このような場合、可動部を動作させて、発信部（発光部）又は受信部（受光部）の少なくとも一方を移動させることにより、通信可能な状態にすることができる。
【００１７】
請求項６に係る発明は、前記目的を達成するために、固体撮像素子によって画像を撮像するとともに、該固体撮像素子を赤外線の受信部に利用して、前記外部機器と無線通信することを特徴とする請求項５に記載のカメラを提供する。
【００１８】
請求項６に係る発明によれば、画像を撮像する固体撮像素子によって外部機器から出射された赤外光を受光して、外部機器と無線通信が行われる。これにより、別途、受信部（受光部）を設置する必要がなくなり、構成を簡略化することができる。
【発明の効果】
【００１９】
本発明に係るカメラによれば、簡単に通信の設定を行うことができる。
【発明を実施するための最良の形態】
【００２０】
以下、添付図面に従って本発明に係るカメラを実施するための最良の形態について説明する。
【００２１】
図１、図２は、それぞれ本発明に係るカメラの一実施形態を示す正面斜視図と背面斜視図である。
【００２２】
同図に示すカメラ１０は、いわゆるデジタルカメラであって、そのカメラ本体１２は、横方向に細長い矩形の箱状に形成されている。
【００２３】
カメラ本体１２の正面には、図１に示すように、撮影レンズ１４、ファインダ窓１６、セルフタイマーランプ１７、ストロボ１８、マイク２０等が設けられており、上面には、シャッタボタン２２、電源／モードスイッチ２４、モードダイヤル２６等が設けられている。
【００２４】
また、カメラ本体１２の背面には、図２に示すように、ファインダ接眼部２８、ファインダーランプ２９、液晶モニタ３０、ズームボタン３２、十字ボタン３４、ＭＥＮＵ／ＯＫボタン３６、ＤＩＳＰボタン３８、ＢＡＣＫボタン４０、スピーカ４２等が設けられている。
【００２５】
なお、図示されていないが、カメラ本体１２の底面には、開閉自在なカバーが設けられており、このカバーの内側にバッテリを収納するためのバッテリ収納室と、メモリカードを装填するためのメモリカードスロットとが設けられている。
【００２６】
撮影レンズ１４は、沈胴式のズームレンズで構成されており、カメラの電源を投入すると、そのレンズ鏡筒１５がカメラ本体１２から繰り出される（撮影モード時）。この撮影レンズ１４のレンズ鏡筒１５の先端部には、赤外線通信を行うための赤外線発光部４４Ａと赤外線受光部４４Ｂとが設けられている。
【００２７】
セルフタイマーランプ１７は、ＬＥＤランプで構成されており、セルフタイマー撮影時、所定のタイミングで発光、点滅して、被写体に撮影のタイミングを告知する（たとえば、約５秒間点灯したのち点滅に変わり、さらに約５秒後に撮影が行われる）。
【００２８】
シャッタボタン２２は、いわゆる「半押し」と「全押し」とからなる２段ストローク式のスイッチで構成されている。カメラ１０は、このシャッタボタン２２を半押しすることにより、ＡＥ（Automatic Exposure）、ＡＦ（Auto Focus）、ＡＷＢ（Automatic White Balance）が機能し、全押しすることにより、撮影処理が行われる。
【００２９】
電源／モードスイッチ２４は、カメラ１０の電源をＯＮ／ＯＦＦする電源スイッチとして機能するとともに、カメラ１０のモードを設定するモードスイッチとして機能し、「ＯＦＦ位置」、「再生位置」、「撮影位置」の間をスライド自在に設けられている。カメラ１０は、この電源／モードスイッチ２４を「再生位置」又は「撮影位置」に合わせることにより、電源がＯＮになり、「ＯＦＦ位置」に合わせることにより、電源がＯＦＦになる。また、電源／モードスイッチ２４を「再生位置」に合わせることにより「再生モード」に設定され、「撮影位置」に合わせることにより「撮影モード」に設定される。そして、カメラ１０は「撮影モード」に設定されると、画像の記録が可能になり、「再生モード」に設定されると、記録済み画像の再生が可能になる。
【００３０】
モードダイヤル２６は、一定の角度範囲で回動自在に設けられており、所定の回転位置（ポジション）に設定することにより、カメラ１０の撮影モードを設定する手段として機能する。
【００３１】
ファインダーランプ２９は、ＬＥＤで構成されており、カメラの動作状況に応じて発光、点滅される。たとえば、撮影時に撮影準備が完了すると点灯し、規定のシャッタスピード以下で撮影しようとすると点滅する。
【００３２】
液晶モニタ３０は、カラー表示が可能な液晶ディスプレイで構成されている。この液晶モニタ３０は、撮影した画像の表示画面として利用されるとともに、各種設定時にユーザインターフェースとして利用される。また、撮影時に必要に応じてスルー画像が表示され、画角確認用の電子ファインダとして利用される。
【００３３】
ズームボタン３２は、望遠側へのズームを指示するズームテレボタン３２Ｔと、広角側へのズームを指示するズームワイドボタン３２Ｗとで構成され、このズームボタン３２が操作されることにより、撮影画角が変化する。
【００３４】
十字ボタン３４は、上下左右４方向に押圧操作することができるようにされており、各方向の指示を入力するボタンとして機能する。
【００３５】
ＭＥＮＵ／ＯＫボタン３６は、各モードの通常画面からメニュー画面への遷移を指示するボタン（ＭＥＮＵボタン）として機能するとともに、選択内容の確定、処理の実行等を指示するボタン（ＯＫボタン）として機能する。
【００３６】
ＤＩＳＰボタン３８は、背面表示パネルの表示内容の切り替えを指示するボタンとして機能し、ＢＡＣＫボタン４０は入力操作のキャンセル等を指示するボタンとして機能する。
【００３７】
図３は、カメラ１０の電気的構成を示すブロック図である。同図に示すように、カメラ１０は、撮影光学系５０、固体撮像素子６０、アナログ信号処理部６２、Ａ／Ｄ変換器６４、画像入力コントローラ６６、デジタル信号処理部６８、圧縮伸張処理部７０、記録制御部７２、記憶メディア（メモリカード）７４、表示制御部７６、液晶モニタ３０、操作部７８（シャッタボタン２２、十字ボタン３４、ＭＥＮＵ／ＯＫボタン３６、ＢＡＣＫボタン４０、電源／モードスイッチ２４等）、ＣＰＵ８０、ＲＡＭ８２、ＲＯＭ８４、ストロボ制御部８６、赤外線通信制御部８８等で構成されている。
【００３８】
カメラ１０の全体の動作は、ＣＰＵ８０によって統括制御されており、ＣＰＵ８０は、操作部７８からの入力に応じて、ＲＡＭ８２を作業領域としながら、所定の制御プログラムに従ってカメラ１０の各部を制御する。ＲＯＭ８４には、このＣＰＵ８０が実行する制御プログラム及び制御に必要な各種データが記録されている。
【００３９】
撮影光学系５０は、撮影レンズ１４と絞り５２とを備えており、撮影レンズ１４は、ズームレンズ１４Ｚとフォーカスレンズ１４Ｆとで構成されている。
【００４０】
ズームレンズ１４Ｚは、ズームモータ５４Ｚに駆動されて撮影光軸に沿って前後移動する。ＣＰＵ８０は、ズームドライバ５６Ｚを介してズームモータ５４Ｚの駆動を制御することにより、撮影レンズ１４のズームを制御する。
【００４１】
フォーカスレンズ１４Ｆは、フォーカスモータ５４Ｆに駆動されて撮影光軸に沿って前後移動する。ＣＰＵ８０は、フォーカスドライバ５６Ｆを介してフォーカスモータ５４Ｆの駆動を制御することにより、撮影レンズ１４のフォーカスを制御する。
【００４２】
絞り５２は、アイリスモータ５４Ｉに駆動されて、その開口量を変化させる。ＣＰＵ８０は、アイリスドライバ５６Ｉを介してアイリスモータ５４Ｉの駆動を制御することにより、撮影レンズ１４の絞り値を制御する。
【００４３】
なお、ズームレンズ１４Ｚ及びフォーカスレンズ１４Ｆは、カム機構によって撮影光軸に沿って前後移動し、このズームレンズ１４Ｚ及びフォーカスレンズ１４Ｆの移動に伴って撮影レンズ１４のレンズ鏡筒１５が撮影光軸に沿って前後移動する。そして、このレンズ鏡筒１４Ａが、前後移動することにより、レンズ鏡筒１５の先端部に設けられた赤外線発光部４４Ａと赤外線受光部４４Ｂが、撮影光軸に沿って前後移動する。
【００４４】
固体撮像素子６０は、カラーＣＣＤで構成されている。ＣＣＤ６０の受光面には、所定配列のカラーフィルタを介して多数のフォトダイオードが配列されている。撮影光学系５０を介してＣＣＤ６０の受光面に入射した被写体光は、各フォトダイオードによって光電変換され、画像信号としてＣＣＤ６０から出力される。
【００４５】
ＣＣＤ６０から出力された画像信号は、ＣＤＳ（相関二重サンプリング）、ＡＧＣ（ゲイン・コントロール・アンプ回路）等を備えたアナログ信号処理部６２に入力され、ここで所要の信号処理を施された後、Ａ／Ｄ変換器６４でデジタル信号に変換される。そして、画像入力コントローラ６６を介してＲＡＭ８２に取り込まれる。
【００４６】
ＲＡＭ８２に取り込まれた１コマ分の画像信号は、デジタル信号処理部６８に加えられ、ここで色分離処理、ガンマ補正処理、輪郭強調補正処理、色差マトリクス処理等の所要の信号処理が施されて、輝度信号（Ｙ信号）と色差信号（Ｃｒ、Ｃｂ信号）とからなるＹＵＶ信号が生成される。
【００４７】
液晶モニタ３０を電子ファインダとして使用する場合は、デジタル信号処理部６８で生成されたＹＵＶ信号を表示制御部７６に加える。表示制御部７６は、入力されたＹＵＶ信号を表示用の信号形式に変換して液晶モニタ３０に出力する。これにより、ＣＣＤ６０から得られた画像が液晶モニタ３０に表示され、液晶モニタ３０を電子ファインダとして使用して、撮影することが可能になる。
【００４８】
画像を記録する場合は、デジタル信号処理部６８で生成されたＹＵＶ信号が圧縮伸張処理部７０に加えられる。圧縮伸張処理部７０は、入力されたＹＵＶ信号に所要の圧縮フォーマット（たとえばＪＰＥＧ）の圧縮処理を施す。圧縮された画像データは、ＲＡＭ８２に一旦格納され、所要の画像記録フォーマットの画像ファイル（たとえばＥｘｉｆ）とされた後、記録制御部７２を介して記録メディア（メモリカード）７４に格納される。
【００４９】
このようにして記憶メディア７４に記録された画像データは、ユーザによる再生操作に応じて記憶メディア７４から読み出され、圧縮伸張処理部７０に加えられる。圧縮伸張処理部７０は、入力された圧縮画像データに所要の伸張処理を施して、非圧縮のＹＵＶ信号を生成する。生成されたＹＵＶ信号は、表示制御部７６を介して液晶モニタ３０に出力される。これにより、記憶メディア７４に記録された画像が液晶モニタ３０に再生表示される。
【００５０】
ストロボ制御部８６は、ＣＰＵ８０からの指令に応じてストロボ１８を発光させ、被写体にストロボ光を照射する。
【００５１】
赤外線通信制御部８８は、ＣＰＵ８０からの指令に応じて、赤外線発光部４４Ａからの赤外光の発光、及び、赤外線受光部４４Ｂでの外部機器からの赤外光の受光を制御し、接続先の外部機器との間で所定の通信規格（たとえば、ＩｒＤＡ）に従った通信処理を行う。
【００５２】
ところで、このような赤外線通信の場合、赤外線が指向性を有することから、通信を行う場合は、通信する機器間で互いの発光部と受光部の位置を正しく合わせる必要がある。
【００５３】
図４には、カメラの設置位置と通信状態の関係を示す図が示されている（高さ方向の設置位置については考慮していない）。同図に示すように、カメラは、その赤外線の発光部／受光部を外部機器に設けられた赤外線の発光部／受光部に対して一定の範囲内に設置したときにのみ通信が可能になる。この範囲はカメラと外部機器との間の距離が離れるに従って狭くなる。したがって、良好な通信環境に設定するためには、カメラの発光部／受光部と外部機器の発光部／受光部を正面で対向させ、所定の間隔に保つことが好ましい。
【００５４】
しかしながら、操作に慣れていないと、どのように機器を設置してよいか分からず、通信エラーを生じることが多分にある。
【００５５】
そこで、本実施の形態のカメラ１０では、カメラ１０の設置位置が不適切で通信エラーを生じている場合は、通信可能な状態に自動修正する。
【００５６】
以下、この赤外通信時における本実施の形態のカメラ１０の動作について説明する。
【００５７】
なお、ここでは、図５に示すように、外部機器としてプリンタ１００と赤外線通信する場合について説明する。
【００５８】
赤外線通信をする場合、図５（ａ）に示すように、プリンタ１００に設けられた赤外線発光部１０２Ａ、受光部１０２Ｂと、カメラ１０の赤外線発光部４４Ａ、受光部４４Ｂとが、ほぼ対向するようにカメラ１０を設置する。なお、このときレンズ鏡筒１５は、カメラ本体１２に沈胴しているものとする。このようにカメラ１０を設置した後、通信をスタートさせる。
【００５９】
図６は、赤外線通信時におけるカメラ１０の動作手順を示すフローチャートである。
【００６０】
まず、通信を確立させるための赤外光をカメラ１０の赤外線発光部４４Ａから発光させる（ステップＳ１１）。
【００６１】
プリンタ１００は、このカメラ１０から発せられた赤外光を赤外線受光部１０２Ｂで受光できた場合は、応答を示す赤外光を赤外線発光部１００Ａから発光させる。
【００６２】
カメラ１０の赤外線受光部４４Ｂは、このプリンタ１００から発せられた応答の赤外光を赤外線受光部４４Ａで受光する。カメラ１０のＣＰＵ８０は、このプリンタ１００からの応答用の赤外光の受光の有無を判定して（ステップＳ１２）、通信が確立したか否かを判定する。
【００６３】
そして、プリンタ１００からの応答用の赤外光が受信されたと判定すると、通信が確立したものとして（ステップＳ１３）、プリンタ１００との間でデータの送受信を行う。
【００６４】
一方、プリンタ１００からの応答用の赤外光が受信されないと判定すると、カメラ１０のＣＰＵ８０は、図５（ｂ）に示すように、レンズ鏡筒１５を移動させて、赤外線発光部４４Ａと赤外線受光部４４Ｂを移動させる。
【００６５】
この場合、まず、ＣＰＵ８０は、レンズ鏡筒１５が移動限界にあるか否かを判定する（ステップＳ１４）。移動可能であると判定すると、レンズ鏡筒１５を所定量移動させる（ステップＳ１５）。
【００６６】
移動後、カメラ１０のＣＰＵ８０は、ステップＳ１１の処理に戻り、再度、通信を確立させるための赤外光を赤外線発光部４４Ａから発光させる（ステップＳ１１）。そして、プリンタ１００からの応答用の赤外光の受光の有無を判定して（ステップＳ１２）、通信が確立したか否かを判定する。
【００６７】
プリンタ１００からの応答用の赤外光が受信されたと判定すると、通信が確立したものとして（ステップＳ１３）、プリンタ１００との間でデータの送受信を行う。
【００６８】
一方、プリンタ１００からの応答用の赤外光が受信されないと判定すると、レンズ鏡筒１５が移動限界にあるか否かを判定し（ステップＳ１４）、移動可能であると判定すると、レンズ鏡筒１５を所定量移動させ（ステップＳ１５）、再度、通信を確立させるための赤外光を赤外線発光部４４Ａから発光させる（ステップＳ１１）。
【００６９】
このようにカメラ１０のＣＰＵ８０は、プリンタ１００との間で通信が確立できるまで、レンズ鏡筒１５を所定量ずつ移動させる。そして、レンズ鏡筒１５の移動限界まで移動させても、通信が確立しない場合には、通信エラーとし（ステップＳ１６）、液晶モニタ３０にその旨を表示する。
【００７０】
このように、本実施の形態のカメラ１０によれば、通信できない位置にカメラ１０を設置した場合であっても、ユーザは何ら調整操作を行うことなく、可能な限り自動で通信可能な状態に設定することができる。これにより、操作に慣れていないユーザが利用した場合であっても簡単に通信の設定を行うことができる。
【００７１】
なお、本実施の形態では、通信可能位置まで赤外線発光部４４Ａと赤外線受光部４４Ｂが移動すると、レンズ鏡筒１５の移動を停止させているが、さらにレンズ鏡筒１５を移動させ、通信可能な範囲内で最適な位置に赤外線発光部４４Ａと赤外線受光部４４Ｂとを移動させるようにしてもよい。これにより、通信中のエラーの発生を効果的に抑止でき、良好な通信を行うことができるようになる。
【００７２】
また、本実施の形態では、自動でレンズ鏡筒１５を移動させて、赤外線発光部４４Ａと赤外線受光部４４Ｂとを通信可能な位置に移動させるようにしているが、手動でレンズ鏡筒１５を移動させて（たとえば、ズームレバー３２によるズーム操作で移動させる。）、赤外線発光部４４Ａと赤外線受光部４４Ｂとを通信可能な位置に移動させるようにしてもよい。
【００７３】
また、本実施の形態では、本発明をデジタルカメラに適用した場合を例に説明したが、本発明の適用は、これに限定されるものではなく、赤外線通信機能を備えた銀塩カメラやビデオカメラ等にも同様に適用することができる。
【００７４】
なお、デジタルカメラの場合は、画像を撮像する固体撮像素子自体を赤外線の受光手段として機能させることができるので、図７に示すように、赤外線発光部４４Ａのみをレンズ鏡筒１５に取り付け、赤外光の受光は固体撮像素子６０で行うようにしてもよい。これにより、構成を簡素化することができる。
【００７５】
また、本実施の形態では、赤外線で通信する場合を例に説明したが、本発明の適用は、これに限定されるものではない。指向性を有する通信であれば、他の通信にも適用することができ、有効に作用させることができる。
【００７６】
さらに、本実施の形態では、赤外線発光部４４Ａと赤外線受光部４４Ｂを撮影レンズ１４のレンズ鏡筒１５に取り付けるようにしているが、赤外線発光部４４Ａと赤外線受光部４４Ｂの設置位置は、これに限定されるものではない。たとえば、ポップアップ式のストロボを備えたカメラの場合には、ストロボに赤外線発光部４４Ａと赤外線受光部４４Ｂを設置し、ポップアップにより赤外線発光部４４Ａと赤外線受光部４４Ｂを移動させるようにしてもよい。また、プリンタを備えたカメラの場合には、プリンタヘッドに赤外線発光部４４Ａと赤外線受光部４４Ｂを設置し、プリンタヘッドの移動により赤外線発光部４４Ａと赤外線受光部４４Ｂを移動させるようにしてもよい。
【００７７】
また、レンズ鏡筒１５に赤外線発光部４４Ａと赤外線受光部４４Ｂを設置する場合は、必ずしも先端に設ける必要はなく、他の位置に設置するようにしてもよい。たとえば、レンズ鏡筒内に取り付けるようにしてもよい。なお、レンズ鏡筒１５は、ある程度の移動量を確保することができるので、カメラ１０を通信不能領域に設置した場合であっても、効果的に通信可能な状態に修正することができる。
【００７８】
また、レンズ鏡筒１５は、インナーズーム方式のものでもよく、この場合、レンズ鏡筒内の可動部（たとえば、移動レンズ枠等）に赤外線発光部４４Ａと赤外線受光部４４Ｂを設置してもよい。
【図面の簡単な説明】
【００７９】
【図１】本発明に係るカメラの一実施形態を示す正面斜視図
【図２】本発明に係るカメラの一実施形態を示す背面斜視図
【図３】カメラの電気的構成を示すブロック図
【図４】カメラの設置位置と通信状態の関係を示す図
【図５】本実施の形態のカメラの作用の説明図
【図６】赤外線通信時におけるカメラの動作手順を示すフローチャート
【図７】本発明に係るカメラの他の実施の形態の概略構成を示す図
【符号の説明】
【００８０】
１０…カメラ、１２…カメラ本体、１４…撮影レンズ、１５…レンズ鏡筒、４４Ａ…赤外線発光部、４４Ｂ…赤外線受光部、５０…撮影光学系、６０…固体撮像素子、８０…ＣＰＵ、８８…赤外線通信制御部、１００…プリンタ、１０２Ａ…赤外線発光部、１０２Ｂ…赤外線受光部
【図１】
2007028424.tif 000003
【図２】
2007028424.tif 000004
【図３】
2007028424.tif 000005
【図４】
2007028424.tif 000006
【図５】
2007028424.tif 000007
【図６】
2007028424.tif 000008
【図７】
2007028424.tif 000009